【手続補正書】
【提出日】令和2年6月11日(2020.6.11)
【手続補正１】
【補正対象書類名】特許請求の範囲
【補正対象項目名】全文
【補正方法】変更
【補正の内容】
【特許請求の範囲】
【請求項１】
所定電源と接続される第１回路と、前記第１回路とは絶縁される第２回路と、を有する電源装置において、
前記第１回路に設けられたヒータと、
前記第１回路に設けられ、前記所定電源から前記ヒータに供給される電力を調整する調整手段と、
前記第１回路に設けられ、前記調整手段を制御する第１制御手段と、
前記第１回路に設けられ、前記ヒータに供給される電力に関するパラメータを検出する第１検出手段と、
前記第１回路に設けられ、前記第１制御手段に接続される第１通信部と、
前記第２回路に設けられ、前記第１通信部と絶縁され且つ当該第１通信部と無線通信を行う第２通信部と、
前記第２回路に設けられ且つ前記第２通信部に接続される第２制御手段と、
前記ヒータの温度を検出する第２検出手段と、
前記第２回路に設けられ、前記第１回路の異常を判定する判定手段と、
を有し、
前記第１制御手段は、前記第２制御手段から前記第２通信部に出力される電圧に起因して前記第１通信部に発生する電圧による電力により動作し、
前記第１制御手段は、前記第１検出手段による検出結果に関する情報を前記無線通信によって前記第２制御手段に送信し、
前記第２制御手段は、前記第１制御手段から送信された前記情報に基づいて、前記ヒータの目標温度と前記第２検出手段によって検出される温度との偏差を小さくするための第１信号を、前記第１通信部及び第２通信部を介して前記第１制御手段に供給し、
前記第１制御手段は、前記第１信号に基づいて前記調整手段を制御し、
前記判定手段によって前記第１回路に異常があると判定された場合は、前記第１制御手段への前記電力の供給が遮断されることを特徴とする電源装置。
【請求項２】
前記判定手段は、前記第２検出手段によって検出された温度に基づいて前記第１回路の異常を判定することを特徴とする請求項１に記載の電源装置。
【請求項３】
前記第１回路の異常は、前記前記第２検出手段によって検出された温度が前記目標温度より高い所定温度より高いことに対応し、
前記前記第２検出手段によって検出された温度が前記所定温度より高い場合は、前記第１制御手段への前記電力の供給が遮断されることを特徴とする請求項１又は２に記載の電源装置。
【請求項４】
前記第１制御手段は、前記第２制御手段から前記第２通信部に出力された電圧に起因して前記第１通信部に発生する信号を用いて、前記情報を送信することを特徴とする請求項１乃至３のいずれか一項に記載の電源装置。
【請求項５】
前記電源装置は、
前記第２制御手段から前記第２通信部に前記電圧が供給される供給状態と前記第２制御手段から前記第２通信部に前記電圧が供給されない遮断状態とを切り替えるスイッチ手段と、
前記判定手段によって前記第１回路に異常があると判定された場合に、前記スイッチ手段が前記遮断状態になるように前記スイッチ手段を制御する第３制御手段と、
を有することを特徴とする請求項１乃至４のいずれか一項に記載の電源装置。
【請求項６】
前記第２制御手段は、前記判定手段によって前記第１回路に異常があると判定された場合は、前記第２通信部への前記電圧の供給を停止することを特徴とする請求項１乃至５のいずれか一項に記載の電源装置。
【請求項７】
前記所定電源は、商用電源であることを特徴とする請求項１乃至６のいずれか一項に記載の電源装置。
【請求項８】
前記電力に関するパラメータは前記ヒータに供給される電流であり、
前記第２制御手段は、前記第１検出手段によって検出された電流の実効値が所定値より大きい場合は前記ヒータに供給される電力を小さくするための信号を前記第１制御手段に供給することを特徴とする請求項１乃至７のいずれか一項に記載の電源装置。
【請求項９】
前記第２制御手段は、前記第１検出手段の検出結果に基づいて決定された電力の実効値が第２所定値より大きい場合は前記ヒータに供給される電力を小さくするための信号を前記第１制御手段に供給することを特徴とする請求項１乃至８のいずれか一項に記載の電源装置。
【請求項１０】
前記第１検出手段は、前記所定電源から供給される電圧を検出し、
前記第２制御手段は、前記第１検出手段によって検出された前記電圧の実効値に基づいて、前記ヒータに供給される電力を小さくするための信号を前記第１制御手段に供給することを特徴とする請求項１乃至９のいずれか一項に記載の電源装置。
【請求項１１】
前記調整手段はトライアック回路であり、
前記第１制御手段は、前記ヒータに供給される電力を増大させる場合は前記トライアック回路がＯＮ状態である期間を増大させ、前記ヒータに供給される電力を減少させる場合は前記トライアック回路がＯＮ状態である期間を減少させることを特徴とする請求項１乃至１０のいずれか一項に記載の電源装置。
【請求項１２】
前記第１通信部は、巻線で構成される第１アンテナと、前記第１アンテナを構成する巻線のインピーダンスを制御することによって前記情報を送信する送信部と、を備え、
前記第２通信部は、巻線で構成される第２アンテナを備え、
前記第１通信部と前記第２通信部との無線通信は、前記第１アンテナと前記第２アンテナとによって行われることを特徴とする請求項１乃至１１のいずれか一項に記載の電源装置。
【請求項１３】
前記第１アンテナを構成する巻線には可変抵抗が接続されており、
前記第１通信部は、前記可変抵抗の抵抗値を変化させることにより、前記第１アンテナを構成する巻線のインピーダンスを制御することを特徴とする請求項１２に記載の電源装置。
【請求項１４】
前記第１通信部は、巻線で構成された第１アンテナを備え、
前記第２通信部は、巻線で構成された第２アンテナを備え、
前記第１通信部は、前記第２制御手段から前記第２アンテナに供給される電圧によって前記第１アンテナに誘起される電圧による電力により動作することを特徴とする請求項１乃至１１のいずれか一項に記載の電源装置。
【請求項１５】
前記第１通信部と前記第２通信部は、ＮＦＣによる無線通信を行うことを特徴とする請求項１乃至１４のいずれか一項に記載の電源装置。
【請求項１６】
前記第１検出手段は、抵抗器を含むことを特徴とする請求項１乃至１５のいずれか一項に記載の電源装置。
【請求項１７】
請求項１乃至１６のいずれか一項に記載の電源装置と、
シートにトナー像を転写する転写手段と、
前記転写手段によって前記シートに転写された前記トナー像を、前記ヒータによる熱によって前記シートに定着させる定着手段と、
を有することを特徴とする画像形成装置。
【手続補正２】
【補正対象書類名】明細書
【補正対象項目名】０００７
【補正方法】変更
【補正の内容】
【０００７】
上記課題を解決するために、本発明に係る電源装置は、
所定電源と接続される第１回路と、前記第１回路とは絶縁される第２回路と、を有する電源装置において、
前記第１回路に設けられたヒータと、
前記第１回路に設けられ、前記所定電源から前記ヒータに供給される電力を調整する調整手段と、
前記第１回路に設けられ、前記調整手段を制御する第１制御手段と、
前記第１回路に設けられ、前記ヒータに供給される電力に関するパラメータを検出する第１検出手段と、
前記第１回路に設けられ、前記第１制御手段に接続される第１通信部と、
前記第２回路に設けられ、前記第１通信部と絶縁され且つ当該第１通信部と無線通信を行う第２通信部と、
前記第２回路に設けられ且つ前記第２通信部に接続される第２制御手段と、
前記ヒータの温度を検出する第２検出手段と、
前記第２回路に設けられ、前記第１回路の異常を判定する判定手段と、
を有し、
前記第１制御手段は、前記第２制御手段から前記第２通信部に出力される電圧に起因して前記第１通信部に発生する電圧による電力により動作し、
前記第１制御手段は、前記第１検出手段による検出結果に関する情報を前記無線通信によって前記第２制御手段に送信し、
前記第２制御手段は、前記第１制御手段から送信された前記情報に基づいて、前記ヒータの目標温度と前記第２検出手段によって検出される温度との偏差を小さくするための第１信号を、前記第１通信部及び第２通信部を介して前記第１制御手段に供給し、
前記第１制御手段は、前記第１信号に基づいて前記調整手段を制御し、
前記判定手段によって前記第１回路に異常があると判定された場合は、前記第１制御手段への前記電力の供給が遮断されることを特徴とする。